【手続補正書】
【提出日】令和3年4月2日(2021.4.2)
【手続補正１】
【補正対象書類名】明細書
【補正対象項目名】発明の名称
【補正方法】変更
【補正の内容】
【発明の名称】携帯デバイス、パッケージ状モジュール、及び電力増幅器にバイアスを与える方法
【手続補正２】
【補正対象書類名】特許請求の範囲
【補正対象項目名】全文
【補正方法】変更
【補正の内容】
【特許請求の範囲】
【請求項１】
携帯デバイスであって、
無線周波数信号を増幅するべく構成されたバイポーラトランジスタと複数のバイアスネットワークとを含む電力増幅器と、
前記電力増幅器の供給電圧の電圧レベルを制御するべく構成された電力管理回路であって、複数の供給制御モードから選ばれた選択供給制御モードにおいて動作可能な電力管理回路と、
前記電力管理回路の選択供給制御モードに基づいて前記電力増幅器のバイアスをスイッチングするべく構成されたバイアス制御回路と
を含み、
前記複数のバイアスネットワークは、前記バイポーラトランジスタのベースに電気的に接続された第１バイアスネットワークと、前記バイポーラトランジスタの前記ベースに電気的に接続された第２バイアスネットワークとを含み、
前記バイアス制御回路は、前記第１バイアスネットワークへの第１基準電流、及び前記第２バイアスネットワークへの第２基準電流を、前記選択供給制御モードに基づいて制御するべく構成される、携帯デバイス。
【請求項２】
前記複数の供給制御モードは、平均電力追跡モード及び包絡線追跡モードを含む、請求項１の携帯デバイス。
【請求項３】
前記バイアス制御回路は、前記選択供給制御モードに基づいて前記電力増幅器のバイアスインピーダンスを制御するべく動作可能であり、
前記電力増幅器は、第１供給制御モードにおいて第２供給制御モードとは異なるバイアスインピーダンスを有する、請求項１の携帯デバイス。
【請求項４】
前記バイアス制御回路は、前記電力管理回路の選択供給制御モードを示す制御信号を受信するべく構成される、請求項１の携帯デバイス。
【請求項５】
前記バイアス制御回路は、シリアルインタフェイスを経由して前記制御信号を受信するべく構成される、請求項４の携帯デバイス。
【請求項６】
前記バイアス制御回路は、第１スイッチを介して前記第１基準電流を前記第１バイアスネットワークに供給するべく構成された第１電流源と、第２スイッチを介して前記第２基準電流を前記第２バイアスネットワークに供給するべく構成された第２電流源とを含み、
前記第１スイッチ及び前記第２スイッチは前記選択供給制御モードに基づいて選択的にアクティブにされる、請求項１の携帯デバイス。
【請求項７】
前記バイアス制御回路は、前記複数のバイアスネットワークの異なる組み合わせを、前記選択供給制御モードに基づいて選択的にアクティブにする、請求項１の携帯デバイス。
【請求項８】
前記第１バイアスネットワークは、第１供給制御モードにおいてアクティブにされて第２供給制御モードにおいてアクティブ解除され、
前記第１バイアスネットワークは歪み補償回路を含む、請求項１の携帯デバイス。
【請求項９】
前記バイアス制御回路はさらに、前記第１基準電流の振幅及び前記第２基準電流の振幅を制御するべく動作可能な基準電圧を生成するように構成されたデジタル／アナログ変換器を含む、請求項１の携帯デバイス。
【請求項１０】
パッケージ状モジュールであって、
パッケージ基板と、
外部電力管理回路から供給電圧を受信するべく構成された供給ピンと、
前記パッケージ基板に取り付けられた第１ダイであって、無線周波数信号を増幅するべく構成されたバイポーラトランジスタと複数のバイアスネットワークとを含む電力増幅器を含む第１ダイと、
前記パッケージ基板に取り付けられた第２ダイであって、前記供給電圧を制御する選択モードを示す制御信号に基づいて前記電力増幅器のバイアスをスイッチングするべく構成されたバイアス制御回路を含む第２ダイと
を含み、
前記複数のバイアスネットワークは、前記バイポーラトランジスタのベースに電気的に接続された第１バイアスネットワークと、前記バイポーラトランジスタの前記ベースに電気的に接続された第２バイアスネットワークとを含み、
前記バイアス制御回路は、前記第１バイアスネットワークへの第１基準電流、及び前記第２バイアスネットワークへの第２基準電流を、前記選択モードに基づいて制御するべく構成される、パッケージ状モジュール。
【請求項１１】
前記選択モードは、平均電力追跡モード又は包絡線追跡モードの一方を示す、請求項１０のパッケージ状モジュール。
【請求項１２】
前記選択モードに基づいて前記電力増幅器のバイアスインピーダンスを制御するべく動作可能であり、
前記電力増幅器は、前記供給電圧を制御する第１モードにおいて前記供給電圧を制御する第２モードとは異なるバイアスインピーダンスを有する、請求項１０のパッケージ状モジュール。
【請求項１３】
前記第２ダイは、前記制御信号を受信するべく構成されたシリアルインタフェイスを含む、請求項１０のパッケージ状モジュール。
【請求項１４】
前記バイアス制御回路は、第１スイッチを介して前記第１基準電流を前記第１バイアスネットワークに供給するべく構成された第１電流源と、第２スイッチを介して前記第２基準電流を前記第２バイアスネットワークに供給するべく構成された第２電流源とを含み、
前記第１スイッチ及び前記第２スイッチは前記選択モードに基づいて選択的にアクティブにされる、請求項１０のパッケージ状モジュール。
【請求項１５】
前記第１バイアスネットワークは、前記供給電圧を制御する第１モードにおいてアクティブにされて前記供給電圧を制御する第２モードにおいてアクティブ解除され、
前記第１バイアスネットワークは歪み補償回路を含む、請求項１０のパッケージ状モジュール。
【請求項１６】
電力増幅器にバイアスを与える方法であって、
電力増幅器のバイポーラトランジスタを使用して無線周波数信号を増幅することと、
電力管理回路を使用して前記電力増幅器の供給電圧の電圧レベルを制御することと、
前記電力管理回路を、複数の供給制御モードから選ばれた選択供給制御モードにおいて動作させることと、
バイアス制御回路を使用して前記選択供給制御モードに基づいて前記電力増幅器のバイアスをスイッチングすることと
を含み、
前記電力増幅器は、前記バイポーラトランジスタのベースに電気的に接続された第１バイアスネットワークと、前記バイポーラトランジスタの前記ベースに電気的に接続された第２バイアスネットワークとを含む複数のバイアスネットワークを含み、
前記電力増幅器のバイアスをスイッチングすることは、前記第１バイアスネットワークへの第１基準電流、及び前記第２バイアスネットワークへの第２基準電流を、前記選択供給制御モードに基づいて制御することを含む、方法。
【請求項１７】
前記バイアス制御回路を使用して前記選択供給制御モードに基づいて前記電力増幅器のバイアスインピーダンスを制御することをさらに含み、
前記電力増幅器のバイアスインピーダンスを制御することは、第１供給制御モードにおいて第２供給制御モードとは異なるバイアスインピーダンスによって前記電力増幅器を動作させることを含む、請求項１６の方法。
【請求項１８】
前記選択供給制御モードを示す制御信号を、シリアルインタフェイスを経由して受信することをさらに含む、請求項１６の方法。
【請求項１９】
前記電力増幅器のバイアスをスイッチングすることは、前記電力増幅器の前記複数のバイアスネットワークの一つ以上を、前記選択供給制御モードに基づいて選択的にアクティブにすることを含む、請求項１６の方法。
【請求項２０】
前記複数のバイアスネットワークの異なる組み合わせを、前記選択供給制御モードに基づいてアクティブにすることをさらに含む、請求項１９の方法。